(57)【特許請求の範囲】
【請求項１】
出力端子を設けたバッテリケース内に、鉛蓄電池を除く充電可能な４本の円筒形状の二次電池を縦横方向に略Ｅ字状に配列してこれらを直列に接続したスプールモータ駆動用の電源ユニットを、収納したことを特徴とする魚釣用バッテリ。
【発明の詳細な説明】
【０００１】
【発明の属する技術分野】
本発明は、魚釣用電動リールのスプールモータや電子回路等に電力を供給する魚釣用バッテリに関する。
【０００２】
【従来の技術】
船釣り等、一般に深場の魚層を対象とした魚釣りを行う場合、魚釣用電動リール（以下、「電動リール」という）が広く使用されている。
従来周知のようにこの電動リールは、リール本体に装着したスプールモータの駆動でスプールを回転させて釣糸の巻取りを行うもので、別途用意したバッテリに接続してスプールモータを駆動させるようになっている。
【０００３】
そして、従来、この種の魚釣用バッテリとして鉛蓄電池からなる１２Ｖバッテリが使用されており、実開平７−７４４３号公報には、携帯用の把手を設けたバッテリケース内に水密性を以ってバッテリを収納したものが知られている。
【０００４】
【発明が解決しようとする課題】
ところで、魚釣用バッテリは、船上での移動や釣り場の移動に伴い電動リールと一体となって使用し、また、船上の狭いスペースに設置するものであるため、魚釣操作に邪魔にならず、携帯する上で小型，軽量であることが望まれている。
しかし乍ら、従来の魚釣用バッテリは、操作性，携帯性の観点から、依然として小型，軽量化の面で解決すべき課題が残されていた。
【０００５】
本発明は斯かる実情に鑑み案出されたもので、船上で魚釣りをするに当たり、邪魔にならず操作性，携帯性に優れた魚釣用バッテリを提供することを目的とする。
【０００６】
【課題を解決するための手段】
斯かる目的を達成するため、請求項１に係る魚釣用バッテリは、出力端子を設けたバッテリケース内に、鉛蓄電池を除く充電可能な４本の円筒形状の二次電池を縦横方向に略Ｅ字状に配列してこれらを直列に接続したスプールモータ駆動用の電源ユニットを、収納したことを特徴とする。
【０００７】
（作用）
請求項１に係る魚釣用バッテリによれば、実釣に当たって釣人が出力端子に電動リールの給電コードを接続することで、安定した十分な所望電力でスプールモータが駆動され、長期に亘る使用でバッテリ容量が低下したときは、出力端子に充電器を接続することで充電が行われる。
【０００８】
また、４本の円筒形状の二次電池を縦横方向に略Ｅ字状に配列して電源ユニットを構成することで、バッテリケースを短くして魚釣用バッテリの小型化が図られる。
【０００９】
【発明の実施の形態】
以下、本発明の実施形態を図面に基づき詳細に説明する。
【００１０】
図１乃至図３は請求項１に係る魚釣用バッテリの第一実施形態を示し、図１に於て、１は扁平で中空な箱体からなる樹脂製のバッテリケースで、その側部に＋出力端子３と−出力端子５が突設されている。
そして、図２に示すようにバッテリケース１内は、端子３，５側から３つの収納部１７が一列に区画形成されて、各収納部１７に、夫々、４本の円筒形状のリチウムイオンバッテリ７を縦横方向に略Ｅ字状に配列してこれらを直列接続した電源ユニット１９が収納されており、これらの電源ユニット１９が並列接続されて、本実施形態に係る魚釣用バッテリ１５が構成されている。
【００１１】
リチウムイオンバッテリ７は端子電圧が３．６Ｖ〜３．７と高く充放電性に優れたもので、本実施形態では、現在市販されているものの中から、例えば直径１４．３ｍｍ，長さ５０．５ｍｍ，重量１９ｇの円筒形状のものが使用されており、上述したように斯かるリチウムイオンバッテリ７を縦横方向に略Ｅ字状に配列してこれらを直列接続した３つの電源ユニット１９を並列接続することで、魚釣用バッテリ１５全体が約１４Ｖとして使用できるようになっている。
【００１２】
そして、図示しないがリチウムイオンバッテリ７はバッテリケース１内に防水収容され、また、バッテリケース１の外側には携帯用の把手や肩掛け用のベルトを装着するベルト通し等が設けられている。
【００１３】
本実施形態に係る魚釣用バッテリ１５はこのように構成されているから、釣人が釣り場に向かい、また、釣り船に乗り込む際には、バッテリケース１に設けた把手や装着したベルトによって魚釣用バッテリ１５を持ち運べばよい。
【００１４】
そして、実釣に当たり、釣人は＋出力端子３と−出力端子５に電動リールの給電コードを接続すれば、安定した十分な所望電力でスプールモータが駆動され、また、実釣時にベルトを介して魚釣用バッテリ１５を携帯すればよい。
また、長期に亘る使用でバッテリ容量が低下したときは、＋出力端子３，−出力端子５間に充電器を接続することで充電が行われることとなる。
【００１５】
このように、本実施形態は、現在市販されている端子電圧が高く充放電性に優れた円筒形状のリチウムイオンバッテリ７を用い、４本のこれらのリチウムイオンバッテリ７を縦横方向に略Ｅ字状に配列し、これらを直列接続してスプールモータ駆動用の電源ユニット１９を構成すると共に、この電源ユニット１９を、バッテリケース１内に設けた３つの収納部１７内に一つ宛収納して並列接続したので、従来の大型で重量の重い鉛蓄電池からなる魚釣用バッテリに比し小型，軽量となり、この結果、船上で魚釣操作をする上で邪魔にならず、モータ駆動用電源としての十分で安定した所望電力の供給を図り乍ら、長期に亘り電動リールと一体に使用することが可能となって、魚釣操作性，携帯性が飛躍的に向上し、実釣性に適した理想的な魚釣用バッテリが得られることとなった。
【００１６】
また、本実施形態は、４本の円筒形状のリチウムイオンバッテリ７を縦横方向に略Ｅ字状に配列して電源ユニット１９を構成したので、例えば４本の円筒形状のリチウムイオンバッテリ７を一列に配列してこれらを直列接続して電源ユニットを構成した場合に比し、バッテリケース１を短くして魚釣用バッテリ１５全体の小型化が図れる利点を有する。
【００１７】
図４は請求項１の第二実施形態に係る魚釣用バッテリの断面図を示し、本実施形態に係る魚釣用バッテリ２１は、バッテリケース１-1内に縦横２列に収納部２３を区画して、各収納部２３内に、夫々、前記電源ユニット１９を装着すると共に、これらを並列接続して魚釣用バッテリ２１全体を約１４Ｖとして使用できるようしたものである。
【００１８】
そして、第一実施形態と同様、バッテリケース１-1は樹脂製の扁平で中空な箱体からなり、その側部に＋出力端子３と−出力端子５が突設されている。そして、本実施形態に於ても、バッテリケース１-1内に円筒形状のリチウムイオンバッテリ７が防水収容され、また、バッテリケース１-1の外側には携帯用の把手や肩掛け用のベルトを装着するベルト通し等が設けられている。
【００１９】
而して、本実施形態によっても、既述した第一実施形態と同様、従来の大型で重量の重い鉛蓄電池からなる魚釣用バッテリに比し小型，軽量となり、この結果、船上で魚釣操作をする上で邪魔にならず、モータ駆動用電源としての十分で安定した所望電力の供給を図り乍ら、長期に亘り電動リールと一体に使用することが可能となって、魚釣操作性，携帯性が飛躍的に向上し、実釣性に適した理想的な魚釣用バッテリが得られることとなる。
また、本実施形態によっても、４本の円筒形状のリチウムイオンバッテリ７を縦横方向に略Ｅ字状に配列した電源ユニット１９を用いたので、４本の円筒形状のリチウムイオンバッテリ７を一列に配列してこれらを直列接続して電源ユニットを構成した場合に比し、バッテリケース１-1を短くして魚釣用バッテリ２１の小型化が図れる利点を有する。
【００２０】
尚、上記各実施形態ではリチウムイオンバッテリを利用したが、その他例えばニッカド電池等の充電可能な４本の円筒形状の二次電池を用いてもよいことは勿論である。
【００２１】
【発明の効果】
以上述べたように、請求項１に係る発明によれば、電動リールと一体的に使用される魚釣用バッテリの小型，軽量化が可能となるので、従来の大型で重量の重い鉛蓄電池からなる魚釣用バッテリに比し船上で魚釣操作をする上で邪魔にならず、魚釣操作性，携帯性が飛躍的に向上することとなった。
【００２２】
また、４本の円筒形状の二次電池を縦横方向に略Ｅ字状に配列した電源ユニットを用いたので、４本の円筒形状の二次電池を一列に配列してこれらを直列接続した電源ユニットを用いた場合に比し、バッテリケースを短くして魚釣用バッテリをより小型化することが可能である。
【図面の簡単な説明】
【図１】請求項１の第一実施形態に係る魚釣用バッテリの斜視図である。
【図２】図１に示す魚釣用バッテリの断面図である。
【図３】図２のIII−III線断面図である。
【図４】請求項１の第二実施形態に係る魚釣用バッテリの断面図である。
【符号の説明】
１，１-1  バッテリケース
３  ＋出力端子
５  −出力端子
７  リチウムイオンバッテリ
１５，２１  魚釣用バッテリ
１９  電源ユニット
【図１】
0003631630.tif 000002
【図２】
0003631630.tif 000003
【図３】
0003631630.tif 000004
【図４】
0003631630.tif 000005